(57)【特許請求の範囲】
【請求項１】
ローラブル型円形ディスプレイ装置（１０）であって、
格納形態と展開形態との間で２通りの寸法に展開可能なリング形ディスプレイ（６）と、
前記リング形ディスプレイを前記格納形態に巻き取るための本体とを有する、ローラブル型円形ディスプレイ装置（１０）。
【請求項２】
前記本体は、切頭円錐形の中実体である、請求項１に記載のローラブル型円形ディスプレイ装置（１０）。
【請求項３】
前記切頭円錐形の中実体は、切頭円錐体である、請求項２に記載のローラブル型円形ディスプレイ装置（１０）。
【請求項４】
前記リング形ディスプレイ（６）は、円形ディスプレイである、請求項１に記載のローラブル型円形ディスプレイ装置（１０）。
【請求項５】
前記リング形ディスプレイ（６）は、前記展開形態において空の円形中央領域（４）を形成する、請求項１に記載のローラブル型円形ディスプレイ装置（１０）。
【請求項６】
前記空の円形中央領域（４）は、付随的情報を表示するのに利用できる、請求項５記載のローラブル型円形ディスプレイ装置（１０）。
【請求項７】
前記本体は、前記展開形態において前記リング形ディスプレイ（６）の直径よりも小さな長さを有する、請求項１に記載のローラブル型円形ディスプレイ装置（１０）。
【請求項８】
前記本体の下側フェース部分にしっかりと取り付けられていて、前記展開形態において前記円形ディスプレイ（６）の内側リムを支持する支持部材（３０）を更に有する、請求項４に記載のローラブル型円形ディスプレイ装置（１０）。
【請求項９】
前記円形ディスプレイ（６）は、
同心円の状態に整然と並べられた複数の矩形表示領域（４０）と、
行電極（５０）及び列電極（６０）を前記複数の矩形表示領域（４０）にルーティングするルーティング領域（３０）とを有する、請求項４に記載のローラブル型円形ディスプレイ装置（１０）。
【請求項１０】
前記ルーティング領域（３０）は、前記円形ディスプレイ（６）の外側リム及び内側リムのうちの少なくとも一方上に配置されている、請求項９に記載のローラブル型円形ディスプレイ装置（１０）。
【請求項１１】
前記ルーティング領域（３０）は、第１のルーティング領域と第２のルーティング領域とからなり、前記第１のルーティング領域が、前記円形ディスプレイ（６）の内側リム上に配置され、前記第２のルーティング領域が、前記円形ディスプレイの外側リム上に配置されている、請求項９に記載のローラブル型円形ディスプレイ装置（１０）。
【請求項１２】
前記円形ディスプレイ（６）の「ｉ番目」の行に配置された画素の数Ｎ（ｉ）は、行番号ｉの関数である、請求項９に記載のローラブル型円形ディスプレイ装置（１０）。
【請求項１３】
ｉ番目の行の画素の数Ｎ（ｉ）は、
〔数１〕
Ｎ（ｉ）＝Ｎ・［（Ｒ−ｒ）（２ｉ＋１）＋２Ｍ・ｒ］／［Ｍ・（Ｒ＋ｒ）］
として計算され、上式において、Ｒは、前記円形ディスプレイのアクティブ領域の外側半径であり、ｒは、前記円形ディスプレイのアクティブ領域の内側半径であり、Ｍは、前記円形ディスプレイ上の行の数であり、Ｎは、前記円形ディスプレイの行上の画素の平均数である、請求項１２に記載のローラブル型円形ディスプレイ装置（１０）。
【請求項１４】
前記ディスプレイ装置（１０）の「ｉ番目」の行上の画素の内側半径ｒ（ｉ）は、
〔数２〕
ｒ（ｉ）＝（Ｒ−ｒ）（ｉ／Ｍ）＋ｒ
として計算され、上式において、Ｒは、前記円形ディスプレイのアクティブ領域の外側半径であり、ｒは、前記円形ディスプレイのアクティブ領域の内側半径であり、Ｍは、前記円形ディスプレイ上の行の数である、請求項９に記載のローラブル型円形ディスプレイ装置（１０）。
【請求項１５】
前記ディスプレイ装置（１０）の「ｉ番目」の行内に配置された画素の画素高さｒ（ｉ＋１）−ｒ（ｉ）は、行番号ｉの関数である、請求項９に記載のローラブル型円形ディスプレイ装置（１０）。
【請求項１６】
前記ディスプレイ装置（１０）の「ｉ番目」の列上の画素の内側半径ｒ（ｉ）は、
〔数３〕
ｒ（ｉ）＝ｓｑｒｔ［（Ｒ２−ｒ２）（ｉ／Ｍ）＋ｒ２］
として計算され、上式において、Ｒは、前記画素の外側半径であり、ｒは、前記画素の内側半径であり、Ｍは、前記ディスプレイ上の行の数である、請求項１５記載のローラブル型円形ディスプレイ装置（１０）。
【請求項１７】
前記リング形ディスプレイ（６）は、双安定ディスプレイである、請求項１に記載のローラブル型円形ディスプレイ装置（１０）。
【請求項１８】
ローラブル型円形ディスプレイ装置（１０）であって、
ハウジング（２０）を有し、
円形ディスプレイ（６）を有し、前記円形ディスプレイ（６）は、前記円形ディスプレイ（６）が前記ハウジング（２０）内に格納される格納形態と前記円形ディスプレイ（６）が全体的に視認可能である展開形態との間で２通りの寸法に展開可能であり、
前記ハウジング（２０）内に同軸に配置されると共に前記ハウジング内で回転可能な内側円錐体を有し、前記円形ディスプレイ（６）は、前記格納形態では前記内側円錐体に巻き付けられる、ローラブル型円形ディスプレイ装置（１０）。
【請求項１９】
前記ハウジングは、前記展開形態において前記円形ディスプレイ（６）の直径よりも小さな長さを有する、請求項１８に記載のローラブル型円形ディスプレイ装置（１０）。
【請求項２０】
前記ハウジングの下側フェース部分にしっかりと取り付けられていて、前記展開形態において前記円形ディスプレイ（６）の内側リムを支持する支持部材（３０）を更に有する、請求項１９に記載のローラブル型円形ディスプレイ装置（１０）。
【請求項２１】
前記円形ディスプレイ（６）は、双安定ディスプレイである、請求項１８に記載のローラブル型円形ディスプレイ装置（１０）。
【請求項２２】
前記円形ディスプレイ（６）の第１の端は、ロールアウト機構体を介して前記内側円錐体に取り付けられている、請求項１８に記載のローラブル型円形ディスプレイ装置（１０）。
【請求項２３】
前記ロールアウト機構体は、前記円形ディスプレイ（６）を伸長位置に維持するようロック状態になる、請求項２２に記載のローラブル型円形ディスプレイ装置（１０）。
【請求項２４】
前記円形ディスプレイ（６）の第２の端は、伸長位置で前記ハウジング（２０）に取り付け可能である、請求項１８に記載のローラブル型円形ディスプレイ装置（１０）。
【請求項２５】
前記円形ディスプレイ（６）は、時計回りの方向及び反時計回りの方向のうちの一方の方向で前記格納形態から前記展開形態に展開可能である、請求項１８に記載のローラブル型円形ディスプレイ装置（１０）。
【請求項２６】
前記ハウジングは、主要軸線に沿って設けられていて、前記円形ディスプレイ（６）が前記格納形態から前記展開形態に移行することができるようにするスリット（２５）を更に有する、請求項１８に記載のローラブル型円形ディスプレイ装置（１０）。
【請求項２７】
前記円形ディスプレイ（６）は、前記展開形態において空の円形中央領域（４）を形成する、請求項１８に記載のローラブル型円形ディスプレイ装置（１０）。
【請求項２８】
前記空の円形中央領域（４）は、付随的情報を表示するのに利用できる、請求項２７に記載のローラブル型円形ディスプレイ装置（１０）。
【請求項２９】
前記円形ディスプレイ（６）は、
同心円の状態に整然と並べられた複数の表示領域（４０）と、
行電極（５０）及び列電極（６０）を前記複数の表示領域（４０）にルーティングするルーティング領域（３０）とを有する、請求項１８に記載のローラブル型円形ディスプレイ装置（１０）。
【請求項３０】
前記ルーティング領域（３０）は、前記円形ディスプレイ（６）の外側リム及び内側リムのうちの少なくとも一方上に配置されている、請求項２９に記載のローラブル型円形ディスプレイ装置（１０）。
【請求項３１】
前記ルーティング領域（３０）は、第１のルーティング領域と第２のルーティング領域とからなり、前記第１のルーティング領域が、前記円形ディスプレイ（６）の内側リム上に配置され、前記第２のルーティング領域が、前記円形ディスプレイの外側リム上に配置されている、請求項２９に記載のローラブル型円形ディスプレイ装置（１０）。
【請求項３２】
前記ディスプレイ（６）の「ｉ番目」の行に配置された画素の数Ｎ（ｉ）は、行番号ｉの関数である、請求項２９に記載のローラブル型円形ディスプレイ装置（１０）。
【請求項３３】
ｉ番目の行の画素の数Ｎ（ｉ）は、
〔数４〕
Ｎ（ｉ）＝Ｎ・［（Ｒ−ｒ）（２ｉ＋１）＋２Ｍ・ｒ］／［Ｍ・（Ｒ＋ｒ）］
として計算され、上式において、Ｒは、前記ディスプレイのアクティブ領域の外側半径であり、ｒは、前記ディスプレイのアクティブ領域の内側半径であり、Ｍは、前記ディスプレイ上の行の数であり、Ｎは、前記ディスプレイの行上の画素の平均数である、請求項３２に記載のローラブル型円形ディスプレイ装置（１０）。
【請求項３４】
前記ディスプレイ装置（１０）の「ｉ番目」の行上の画素の内側半径ｒ（ｉ）は、
〔数５〕
ｒ（ｉ）＝（Ｒ−ｒ）（ｉ／Ｍ）＋ｒ
として計算され、上式において、Ｒは、前記ディスプレイのアクティブ領域の外側半径であり、ｒは、前記ディスプレイのアクティブ領域の内側半径であり、Ｍは、前記ディスプレイ上の行の数である、請求項２９に記載のローラブル型円形ディスプレイ装置（１０）。
【請求項３５】
前記ディスプレイ装置（１０）の「ｉ番目」の行内に配置された画素の画素高さｒ（ｉ＋１）−ｒ（ｉ）は、行番号ｉの関数である、請求項２９に記載のローラブル型円形ディスプレイ装置（１０）。
【請求項３６】
前記ディスプレイ装置（１０）の「ｉ番目」の列上の画素の内側半径ｒ（ｉ）は、
〔数６〕
ｒ（ｉ）＝ｓｑｒｔ［（Ｒ２−ｒ２）（ｉ／Ｍ）＋ｒ２］
として計算され、上式において、Ｒは、前記画素の外側半径であり、ｒは、前記画素の内側半径であり、Ｍは、前記ディスプレイ上の行の数である、請求項３５に記載のローラブル型円形ディスプレイ装置（１０）。
【発明の詳細な説明】
【開示の内容】
【０００１】
本明細書において開示する本発明は、一般に、ディスプレイ装置に関する。より詳細には、本発明の例示の実施形態は、使用されていないときに小さな形状係数を有するディスプレイ装置に関する。
【０００２】
広い表示領域及び優れた可搬性を備えたローラブル型（丸めることができる）ディスプレイ装置は、ディスプレイ装置の理想的な形態であると考えられる。嵩、寸法、重量、連続動作時間等は、可搬性の指標であると考えることができるが、主として、最も単純な係数、即ち、ディスプレイが格納状態で使用されていないときの装置寸法についての説明が与えられる。ローラブル型ディスプレイは、これらローラブル型ディスプレイをロールアップ状態に格納するのに必要な嵩が比較的小さいので非常に実用的であり、それにより、この種の装置の可搬性が大幅に高まる。
【０００３】
図１Ａは、表示領域１０２が、これを保護ハウジング内の筒体１０４周りにきつく巻き取る（ロールアップする）ことにより格納されたディスプレイの公知の「ロールアップ（roll-up ）」形態を示している。表示領域１０２を所定の長さだけ巻き出すと、視覚的情報を表示領域１０２上でユーザに提供することができる。「ロールアップ」形態は、有利には、小さな形状係数をディスプレイに提供する。しかしながら、この形態の一欠点は、これによりディスプレイの１つの寸法しか減少させることができないということにある。すなわち、ディスプレイ１０２を筒体１０４周りに巻き取った場合、ディスプレイの幅は、小さな半径に合わせて減少可能であるが、その高さは、変わらない。
【０００４】
図１Ｂは、ディスプレイ１０６がこれを本体部分１０８にきつく巻き付けることにより格納されたディスプレイの第２の公知の「ラップアップ（wrap-up ）」形態を示している。表示領域１０８を所定の長さだけ巻き出すと、視覚的情報を表示領域１０８上でユーザに提供することができる。図１Ａを参照して説明した形態と同様、図１Ｂの「ラップアップ」形態は、小さな形状係数をディスプレイに提供するので、有利である。この形態には、これによりディスプレイの１つの寸法しか減少させることができないという点で図１Ａの形態と同一の欠点がある。すなわち、ディスプレイ１０６を本体部分１０８に巻き付けた場合、ディスプレイ１０６の幅は、小さな半径に合わせて減少可能であるが、その高さは、変わらない。
【０００５】
したがって、ローラブル型ディスプレイの可搬性及び使いやすさを損なわないで、２通りの寸法に減少させることができるローラブル型ディスプレイを提供することが望ましい。このようにすることができるということにより、魅力的な製品設計上の可能性も与えられる。
【０００６】
本発明によれば、ローラブル型円形ディスプレイ装置であって、円形ディスプレイの全体的直径よりも実質的に小さく、このせいぜい１／２である長さを有するという要件を満足するディスプレイハウジングを有するローラブル型円形ディスプレイ装置が提供される。有利には、円形ディスプレイを従来型筒体ハウジングではなく、円錐形のハウジングに巻き付けることにより、装置の可搬性及び使いやすさを損なわないで、ディスプレイの幅と高さの両方を小さな半径に減少させることができる。
【０００７】
一実施形態では、ローラブル型円形ディスプレイ装置は、好適には、切頭円錐体の輪郭を呈するハウジングと、円形ディスプレイであって、円形ディスプレイがハウジング内に格納される格納形態と円形ディスプレイが全体的に視認可能である展開形態との間で２通りの寸法に展開可能な円形ディスプレイと、ハウジング内に同軸に配置されると共にハウジング内で回転可能な内側円錐体とを有し、円形ディスプレイは、格納形態では内側円錐体に巻き付けられる。
【０００８】
別の実施形態では、ローラブル型円形ディスプレイ装置は、好適には、切頭円錐体の輪郭を呈する本体部分と、円形ディスプレイであって、円形ディスプレイが本体部分に巻き付けられる格納形態と円形ディスプレイが全体的に視認可能である展開形態との間で２通りの寸法に展開可能な円形ディスプレイとを有する。
【０００９】
一観点によれば、巻き出された（ロールアウトされた）位置では、リング型ディスプレイは、空の円形中央領域（即ち、穴）を形成する。ディスプレイの中央に位置する穴は、フレキシブルディスプレイのロールアップ半径に対する制限があるので円形ディスプレイがきつすぎる状態に巻き取られるのを阻止するのに必要である。種々の実施形態では、例えば、穴は、常時目に見え又は他の機能、例えばボタン又はタッチパッドによって目に見える小さな剛性円形ディスプレイの嵌め込みに使用できる。
【００１０】
本発明の上記特徴は、添付の図面と関連して本発明の例示の実施形態の以下の詳細な説明を参照すると容易に明らかになって理解できよう。
【００１１】
以下の詳細な説明は、例示の目的で多くの詳細を含むが、当業者であれば理解されるように、以下の説明の多くの変形例及び改造例は、本発明の範囲に含まれる。したがって、本発明の以下の実施形態は、特許請求の範囲に記載された本発明の一般性を失うことなく且つこれに制限を加えることなく、説明される。
【００１２】
添付の図面に示されているように、本発明は、装置の可搬性及び使いやすさを損なわないで幅及び高さを小さな半径に合わせて減少させることができる改良されたローラブル型円形ディスプレイ装置である。本発明のローラブル型ディスプレイ装置の実施形態を図面の図２〜図１１を参照して説明する。
【００１３】
例示の実施形態によれば、図２Ａ及び図２Ｂは、それぞれ、円形のローラブル型（即ち、巻き取り可能な）ディスプレイ６を有するローラブル型円形ディスプレイ装置１０について円形ローラブル型ディスプレイ６が巻き出された（伸長された）状態を正面図及び側面図で示している。円形ローラブル型ディスプレイ６は、巻き出し（伸長）位置では円形ローラブル型ディスプレイ６によって形成された空の円形中央領域４（即ち、穴）を有する。
【００１４】
ハウジング２０が、円形ローラブル型ディスプレイ６を巻き取るための切頭中実円錐体の形態をしている。しかしながら、巻き取り状態において全体邸な嵩を同様に減少させる他の形状は、本発明の想定の範囲内にある。切頭円錐形ハウジング２０は、ローラブル型ディスプレイを図示のように巻き取り位置から巻き出し（伸長）位置に伸長させるスリット２５を有している。図２Ｂの側面図では、円形ローラブル型ディスプレイ６は、巻き出し位置で機械的安定性を一層高めるよう僅かに円錐形であるように示されている。
【００１５】
図２Ａに示すように、円形ローラブル型ディスプレイ６は、矢印で示されているように、時計回りの方向に巻き出された状態で示されている。当然のことながら、円形ローラブル型ディスプレイは、反時計回りの方向にも巻き出し可能である。伸長位置は、ディスプレイの２つの端を固定することによって達成される。例えば、ディスプレイの一端は、ロールアウト（巻き出し）機構体によって固定でき、ディスプレイは、その最高度まで巻き出されるとロックされる。ディスプレイの他端を切頭円錐形ハウジング２０のスリットに取り付けることができる。
【００１６】
図２Ｂに示すように、円形ローラブル型ディスプレイ６は、巻き出し位置において、浅い円錐形の形状となる。この浅い円錐形により、ディスプレイ６は、巻き出し位置において一層安定性が高くなる。オプションとして、図２Ｂは、平行四辺形の形をした支持部材３０を示している。例示の実施形態では、支持部材３０は、巻き出し（伸長）位置においてリング型ディスプレイ６の内側リムを支持し、更に、以下に説明するように空の円形中央領域４内で利用できる機能をいずれも支援する。
【００１７】
ローラブル型ディスプレイ６は、ディスプレイの機械的性質によって定まる最小巻き取り半径を有すると共に最小巻き取り半径と、ディスプレイ６の内側（穴）半径（ｒ）と外側半径（Ｒ）の比との両方によって定まる最大巻き取り半径を有する。例えば、ディスプレイ６の外側半径Ｒは内側半径ｒの３倍である場合、最大巻き取り半径は、最小巻き取り半径の３倍（３ｘ）である。理解されるべきこととして、最大巻き取り半径及び最小巻き取り半径は、全体的製品寸法を定めるうえで重要である。
【００１８】
この関係を図２及び図３を参照して更に説明する。
【００１９】
本発明のローラブル型ディスプレイ６の基本的な関係は、次のように、即ち
〔数１〕
Ｒ／ｒ＝定数                          ［１］
として計算でき、上式において、図３に示されているように、Ｒは、ディスプレイ６の最大半径を表し、ｒは、ディスプレイの最小半径を表している。方程式［１］は、ディスプレイ６の最大半径Ｒと最小半径ｒの比がディスプレイが巻き取られた又は他の仕方でディスプレイの形状を一致させた円錐体の頂角３３（図２参照）とは独立していることを示している。方程式（１）の比は、ディスプレイが完全に平らな形態に巻き出される場合にも当てはまることが注目される。一例を挙げると、ディスプレイの外側半径Ｒ＝９０ｍｍであり、その穴半径ｒ＝３０ｍｍの場合、方程式（１）は次のように、即ち、
〔数２〕
Ｒ／ｒ＝９０／３０＝３                    ［２］
として計算される。
【００２０】
上述したように、この比は、最初巻き取り半径及び最大巻き取り半径を定める。したがって、ディスプレイ６を例えば５ｍｍの最小半径まで巻き取った場合、切頭円錐形ハウジング２０の頂部のところの最大巻き取り半径Ｒは、方程式（１）により１５ｍｍであると定められる。したがって、本出願人は、切頭円錐形ハウジング２０の幅が最大巻き取り半径の２倍である（例えば、２×１５＝３０ｍｍ）と結論付けることができる。切頭円錐形ハウジング２０の長さ３５（図２参照）は、リング型ディスプレイ６の幅３７（図２参照）によって設定され、次のようにディスプレイ６の外側半径３８と中央領域４の半径３９の差として計算できる。
【００２１】
〔数３〕
ディスプレイリングの幅＝ディスプレイの外側半径−空の中央領域の半径    ［３］
【００２２】
〔数４〕
ディスプレイリングの幅＝９０ｍｍ−３０ｍｍ＝６０ｍｍ                  ［４］
【００２３】
切頭円錐形ハウジング２０の幅３７及び長さ３５が分かると、最小容器サイズを３０（ｈ）×３０（ｌ）×６０（ｗ）ｍｍとして求めることができる。
【００２４】
一観点によれば、巻き出し（伸長）位置にあるローラブル型ディスプレイ６により形成される空の円形中央領域４は、未使用のままであり又は種々の用途に利用できる。
【００２５】
図４Ａ及び図４Ｂは、中央領域４の例示の一使用例を示している。図４Ａ及び図４Ｂに示すように、コンパス器具が、中央領域４に設けられている。コンパス器具の支持体は、支持部材３０（図２ｂに示されている）によって供給できる。コンパス及び関連のディスプレイ６をナビゲーション誘導システムとして利用し、それにより、ユーザの現在の存在場所が中央領域上に位置決めされた状態で地図がディスプレイ６上でユーザに表示され、コンパスは、真北を指し、このコンパスは、磁気コンパスであるのが良いことが想定される。コンパスとディスプレイ６との間には機械的又は電気的結合が存在しないことは理解されるべきである。しかしながら、他の想定される用途としては、機械的及び（又は）電気的インターフェイスが挙げられる。例えば、想定される一使用例としては、中央領域４に設けられて、ユーザインターフェイスのための、例えば、ディスプレイ６上に表示されたアプリケーションを制御すると共に（或いは）種々のモード及び表示オプションを制御するための少なくとも１つのソフトタッチボタンを表示するよう構成されたタッチスクリーンが挙げられ、かかる制御としては、表示の向き、サイズ、輝度、コントラスト等の調節が挙げられる。
【００２６】
円形ディスプレイを利用した場合の結果の１つとして、従来型の矩形のディスプレイと関連した標準型の画素マトリクス構造体が円形ディスプレイには直接利用できないということにある。
【００２７】
図５は、円形ディスプレイのための画素構造体を形成するための一実施形態としての複数の表示領域４０を有する設計の円形ディスプレイを示している。各表示領域４０は、単一の画素に対応している。一実施形態では、画素は、ポリマー半導体材料で構成されたアクティブな要素、例えば薄膜トランジスタを有する。各画素は、単一の行ワイヤ５０及び単一の列ワイヤ６０に接続されている。画素は、更に、電荷が蓄えられた画素パッドに接続されている。画素の頂部には、電界の影響を受けて反射率が変化する電気泳動材料の層が設けられている。当然のことながら、他の実施形態では、画素は、ポリルド（polyled
）ディスプレイ（この場合、画素は、有機ＬＥＤであるのが良い）又はＴＦＴ、画素パッド及びＬＣＤセルで構成されたＬＣＤディスプレイであるのが良い。
【００２８】
行電極５０及び列電極６０を各表示領域４０にルーティングするために用いられる円形ディスプレイの領域である内側円形ルーティング領域３０が示されている。別の実施形態では、ルーティング領域３０は、円形ディスプレイ６の外側リム上に配置されるのが良い。さらに別の実施形態では、内側ルーティング領域と外側ルーティング領域の組み合わせを用いることが想定される。
【００２９】
内側ルーティング領域３０の構成は、外側ルーティング領域形態と比べて利点をもたらし、例えば、必要なワイヤが短くなると共に表面積が最小限に抑えられる。さらに、ルーティング領域は、表示ハードウェアを含まないので、ディスプレイは、これらの領域では、かなり薄く、それにより、小さな巻き取り半径の達成が可能である。ルーティング領域３０を用いることにより、表示品質が高められ、しかも、配線をアクティブな表示領域４０の外部に配置したままにすることにより装置の製造性が一段と容易になる。ルーティング領域を利用した場合の望ましくない結果の１つとして、画素に用いられる面積が、ディスプレイの全面積よりも少ないということにある。
【００３０】
図６は、種々の寸法形状の複数の別々の表示領域６５を有する設計の円形ディスプレイの別の実施形態を示している。図示の実施形態では、８つの別々の表示領域が示されている。しかしながら、他の実施形態は、これとは異なる数の表示領域６５を有しても良い。表示領域６５に加えて、ルーティング領域６７が示されている。ルーティング領域６７は、表示領域６５の全てを同時に受け持つ。この実施形態では、周知の特性を備えた表示領域６５のために従来型の矩形ディスプレイを用いることが想定される。
【００３１】
図７は、一実施形態に従って望ましくない解像度の段階的変化(resolution gradient)を解決する図５の円形ディスプレイ設計の一部分の分解組立図である。図７に示すように、画素行５０は、表示半径５３に垂直に延び、画素列６０は、表示半径５３に平行に延びている。望ましくない解像度の段階的変化の結果として、非矩形の画素が、表示半径の内側（例えば、画素７０）ではなく、表示半径の外側（例えば、画素８０）で大きくなる。この望ましくない解像度の段階的変化を解決するため、半径の勾配を半径方向５３の行電極間隔に適用することが想定される。具体的に説明すると、読者が半径５３に沿って円形ディスプレイ６の内側から外側に動くと、行電極５２は、ますます小さな距離の間隔を置く。この半径の勾配により、画素高さは、画素幅が増大するにつれて減少し、半径方向外側に動き、それにより、画素の全表面積を一定に保つ。
【００３２】
例示の一実施形態では、勾配は、画素行ｉ−１と画素行ｉとの間の境界値ｒ（ｉ）に関する以下の関係式を選択することにより画素表面積が全ての画素に関して一定に保たれるようなものである。
【００３３】
〔数５〕
ｒ（ｉ）＝ｓｑｒｔ［（Ｒ２−ｒ２）（ｉ／Ｍ）＋ｒ２］                    ［５］
上式において、Ｍは、画素行の数である。図７に示す例示の実施形態では、Ｍ＝３である。
【００３４】
方程式［５］及び行ｉ上に位置する１つの画素の表面積Ａ（ｉ）に関する一般的な表現から、次式が得られる。
【００３５】
〔数６〕
Ａ（ｉ）＝π（ｒ（ｉ＋１）２−ｒ（ｉ）２）／Ｎ      ［６］
上式において、ｒ（ｉ＋１）は、画素の外側半径であり、ｒ（ｉ）は、画素の内側半径であり、Ｎは、完全円上の画素の数であり、全ての画素に関する表面積は、次のように計算できる定数であることを導き出すことができる。
【００３６】
〔数７〕
Ａ（ｉ）＝π（Ｒ２−ｒ２）／（Ｍ・Ｎ）＝定数          ［７］
【００３７】
他の実施形態は、解像度の段階的変化を部分的に補償する行電極間隔について異なる勾配を利用しても良いことは理解されるべきである。
【００３８】
図８は、画素行ｉ−１と画素行ｉとの間の半径方向における境界値ｒ（ｉ）に関する関係を一段と説明するための図７の分解組立図である。図８は、４つの行境界値、即ち、ｒ（０）、ｒ（１）、ｒ（２）、ｒ（３）を示している。
【００３９】
図９は、別の実施形態に従って望ましくない解像度の段階的変化を解決するための図５の円形ディスプレイ設計の一部分の分解組立図である。図９に示すように、画素行５０は、ディスプレイ半径５３に垂直に延びている。この実施形態では、上述した望ましくない解像度の段階的変化は、内側行と比較して多くの画素をディスプレイ６の外側行に含ませることにより（即ち、勾配を行Ｎ上の画素の列に適用することにより）解決される。図示のように、ディスプレイの一部分の最も内側の行７０は、２つの画素を含み、次の行７２は、３つの画素を含み、最も外側の行７４は、４つの画素を含んでいる。すなわち、各行の画素の数は、行の番号の関数である。このように、画素行電極間隔は、一定に保たれる。
【００４０】
この例示の実施形態では、勾配は、行ｉ上の画素の数Ｎ（ｉ）及び画素行ｉ−１と画素行ｉとの間の境界値ｒ（ｉ）に関する以下の関係式を選択することにより表面積が全ての画素について一定に保たれるようなものである。
【００４１】
〔数８〕
ｒ（ｉ）＝（Ｒ−ｒ）（ｉ／Ｍ）＋ｒ                ［８］
【００４２】
〔数９〕
Ｎ（ｉ）＝Ｎ・［（Ｒ−ｒ）（２ｉ＋１）＋２Ｍ・ｒ］／［Ｍ・（Ｒ＋ｒ）］［９］
上式において、Ｎ及びＭは、自由パラメータを表し、Ｎは、行上の画素の平均数に対応し、Ｍは、ディスプレイ６中の行の数に対応している。
【００４３】
方程式［８］及び［９］を用いると、画素表面積Ａ（ｉ）を次のように計算できる。
【００４４】
【数１】
0005501621.tif 000002
【００４５】
賢い読者は、上述の方程式［７］と比較して、方程式［１０］は、ローラブル型円形ディスプレイ６の各画素が各画素が配置されている特定の行とは独立して、等価な表面積を有していることを示していることを認識されよう。換言すると、方程式［１０］は、行パラメータｉとは独立している。このようにすると、望ましくない解像度の段階的変化が解決される。
【００４６】
本発明は、他の実施形態では、解像度の段階的変化に関する部分的補償をもたらすよう異なる勾配を行上の画素の数に適用できることを想定していることは理解されるべきである。
【００４７】
別の実施形態では、電極をディスプレイの半径に平行な方向に追加することも又想定される。追加の電極（６２）は、好ましくは、ディスプレイの外側リムから給電される。これは、短いワイヤを延ばした結果として、アクティブな表示領域４０における電極のオーバーラップが著しく少なくなるので、好ましい。
【００４８】
また、望ましくない勾配効果を減少させるために２つの上述の方式の組み合わせを用いることも又想定される。
【００４９】
別の解決策として、或る特定の規定された半径で始まり、円形ディスプレイ６の外側の方向に進んで行電極５０を細分することも想定される。
【００５０】
図１０は、本発明の実施形態としての八角形のディスプレイ７０の略図である。八角形のディスプレイ７０は、円形ディスプレイ６に関する図２〜図９に示された空の円形中央領域に類似した空の円形中央領域４を有する。本発明は、他種多様な形状の利用を想定していることは理解されるべきであり、かかる形状としては、本明細書に明確に示された形状（即ち、図２〜図９に示された円形ディスプレイ形状や図１０に示された八角形ディスプレイ７０）が挙げられるが、これらには限定されない。
【００５１】
図１１Ａ〜図１１Ｄは、ディスプレイを本体部分に巻き付けることができ、ディスプレイの全体が、拡張形態で視認できる互いに異なる形状を備えた本体部分の略図である。図１１Ａは、図２Ａ及び図２Ｂに示された切頭円錐形２０を示し、図１１Ｂ〜図１１Ｄは、ディスプレイ、例えば、図１０に示す八角形ディスプレイ７０用として最適である角錐（ピラミッド）形状を示している。
【００５２】
原文の特許請求の範囲（請求項）の解釈にあたり、次のことが理解されるべきである。
ａ）“comprising”という単語は、所与の請求項に記載された要素又は動作の存在以外の要素又は動作の存在を排除するものではない。
ｂ）要素の前に位置する“ａ”又は“ａｎ”という単語は、かかる要素が複数存在することを排除するものではない。
ｃ）請求項に記載された参照符号は、本発明の範囲を限定しない。
ｄ）幾つかの“means”は、同一のアイテム又はハードウェア若しくはソフトウェアにより具体化される構造又は機能によって表される場合がある。
ｅ）開示した要素の中には、ハードウェア部分（例えば、別個の電子回路及び一体型電子回路を含む）、ソフトウェア部分（例えば、コンピュータプログラミング）及びこれらの任意の組み合わせで構成される場合がある。
ｆ）ハードウェア部分は、アナログ部分とディジタル部分の両方又はこれらのうち一方で構成される場合がある。
ｇ）開示したデバイス又はかかるデバイスの部分の中には、別段の指定が無ければ、互いに組み合わすことができ又は別の部分に分離できる場合がある。
ｈ）動作の特定のシーケンスは、別段の指定が無ければ必要ではないことが意図されている。
【図面の簡単な説明】
【００５３】
【図１Ａ】単一の（水平方向の）寸法が減少可能なローラブル型ディスプレイ装置の先行技術の形態を示す図である。
【図１Ｂ】単一の（水平方向の）寸法が減少可能なローラブル型ディスプレイ装置の先行技術の形態を示す図である。
【図２Ａ】円形ローラブル型ディスプレイ６を有するローラブル型円形ディスプレイ装置を円形ローラブル型ディスプレイが巻き出された（伸長された）状態で示す正面図である。
【図２Ｂ】円形ローラブル型ディスプレイ６を有するローラブル型円形ディスプレイ装置を円形ローラブル型ディスプレイが巻き出された（伸長された）状態で示す側面図である。
【図３】全体的製品寸法の決定に関する最大巻き取り半径と最小巻き取り半径の関係を表す図である。
【図４Ａ】円形ローラブル型ディスプレイの空の円形中央領域の例示の一使用方法を示す図である。
【図４Ｂ】円形ローラブル型ディスプレイの空の円形中央領域の例示の一使用方法を示す図である。
【図５】複数の矩形表示領域を有する設計の円形ディスプレイを示す図である。
【図６】円形ディスプレイのための画素構造を形成するための一実施形態による複数の矩形表示領域を有する設計の円形ディスプレイを示す図である。
【図７】一実施形態による図５の円形ディスプレイ設計の一部分の分解組立図である。
【図８】画素行ｉ−１と画素列Ｉとの間の半径方向における境界値ｒ（ｉ）に関する関係を更に示すための図７の分解組立図である。
【図９】一実施形態に従って望ましくない解像度の段階的変化を解決する図５の円形ディスプレイ設計の一部分の分解組立図である。
【図１０】本発明の一実施形態としての八角形のディスプレイの略図である。
【図１１Ａ】本発明の一実施形態としての１つの幾何学的形状を備えた本体部分の略図である。
【図１１Ｂ】本発明の別の実施形態としての別の幾何学的形状を備えた本体部分の略図である。
【図１１Ｃ】本発明の別の実施形態としての別の幾何学的形状を備えた本体部分の略図である。
【図１１Ｄ】本発明の別の実施形態としての別の幾何学的形状を備えた本体部分の略図である。
【図１Ａ】
0005501621.tif 000003
【図１Ｂ】
0005501621.tif 000004
【図２Ａ】
0005501621.tif 000005
【図２Ｂ】
0005501621.tif 000006
【図３】
0005501621.tif 000007
【図４Ａ】
0005501621.tif 000008
【図４Ｂ】
0005501621.tif 000009
【図５】
0005501621.tif 000010
【図６】
0005501621.tif 000011
【図７】
0005501621.tif 000012
【図８】
0005501621.tif 000013
【図９】
0005501621.tif 000014
【図１０】
0005501621.tif 000015
【図１１Ａ】
0005501621.tif 000016
【図１１Ｂ】
0005501621.tif 000017
【図１１Ｃ】
0005501621.tif 000018
【図１１Ｄ】
0005501621.tif 000019